(57)【要約】【課題】容器をより確実に回転させる。【解決手段】容器２０は、容器本体２１の上部に、容器本体２１の外周面から容器本体２１の径方向に環状に突出した第１突出部２４を備えている。第１突出部２４は、（Ｄ）に示すように、容器本体２１の周方向に沿って設けられた側面と、側面と容器本体２１とを接続する上面とが交差する部位に、第１突出部２４の周方向に沿って設けられた第１エッジ部Ｅ１を有している。また、側面と容器本体２１とを接続する下面と、側面とが交差する部位に、第１突出部２４の周方向に沿って設けられた第２エッジ部Ｅ２を有している。また、第２エッジ部Ｅ２に対し面取りが施されており、第２エッジ部Ｅ２は、曲率を有し円弧状となっている。【選択図】図３
2010280407.tif 000002
【特許請求の範囲】
【請求項１】
予め定められた移動経路に沿って陳列物を移動させるとともに当該移動経路の側方から当該移動経路に突出した経路突出部を当該陳列物に接触させ当該陳列物を周方向に回転させる陳列装置に対し陳列可能な容器であって、
標記が付された外周面を有した容器本体部と、
前記容器本体部の周方向に沿って設けられた側面と、当該側面と当該容器本体部とを接続する上面と、当該側面と当該容器本体部とを接続する下面と、を有し、前記外周面から突出して設けられるとともに当該周方向に沿って環状に形成された環状突出部と、
前記環状突出部よりも下方に設けられ、前記容器本体部が前記陳列装置にて移動する際に前記経路突出部に接触し当該容器本体部を周方向に回転させる回転部と、
を備え、
前記環状突出部の前記側面と前記下面とにより形成される下面側エッジ部には、前記容器本体部が前記陳列装置にて移動し当該側面に対して前記経路突出部が対峙する場合に、当該経路突出部を当該下面側に誘導する誘導部が設けられていることを特徴とする容器。
【請求項２】
前記環状突出部よりも上方に設けられ、前記容器本体部に形成された開口を塞ぐキャップを更に備え、
前記側面と前記上面とにより形成される上面側エッジ部は、曲率を有して形成され、または、当該側面および当該上面に交差する関係で配置された斜面を有して形成されていることを特徴とする請求項１記載の容器。
【請求項３】
前記容器本体部の周方向に沿って設けられた側面と、当該側面と当該容器本体部とを接続する上面と、当該側面と当該容器本体部とを接続する下面と、を有し、前記外周面から突出して設けられるとともに前記回転部よりも下方に設けられ当該周方向に沿って環状に形成された第２の環状突出部を更に備え、
前記第２の環状突出部の前記側面と当該第２の環状突出部の前記上面とにより形成される上面側エッジ部には、前記容器本体部が前記陳列装置にて移動し当該側面に対して前記経路突出部が対峙する場合に、当該経路突出部を当該上面側に誘導する誘導部が設けられていることを特徴とする請求項１又は２に記載の容器。
【請求項４】
前記第２の環状突出部の前記側面と当該第２の環状突出部の前記下面とにより形成される下面側エッジ部は、曲率を有して形成され、または、当該側面および当該下面に交差する関係で配置された斜面を有して形成されていることを特徴とする請求項３記載の容器。
【請求項５】
標記が付された外周面を有した容器本体部と、
前記容器本体部の周方向に沿って設けられた側面と、当該側面と当該容器本体部とを接続する上面と、当該側面と当該容器本体部とを接続する下面と、を有し、前記外周面から突出して設けられるとともに当該周方向に沿って環状に形成された環状突出部と、
前記容器本体部の高さ方向において前記環状突出部とは異なる位置に配置され、前記外周面と交差する関係で配置された面が当該容器本体部の周方向において複数設けられた面形成部位と、
を備え、
前記環状突出部の前記上面および前記下面のうち前記面形成部位が設けられている側に位置する面と前記側面とにより形成されるエッジ部は、曲率を有して形成され、または、当該面形成部位が設けられている側に位置する面および当該側面に交差する関係で配置された斜面を有して形成されていることを特徴とする容器。
【請求項６】
前記面形成部位が設けられている側に位置する面とは反対側の面と前記側面とにより形成されるエッジ部は、曲率を有して形成され、または、当該反対側の面および当該側面に交差する関係で配置された斜面を有して形成されていることを特徴とする請求項５記載の容器。
【請求項７】
前記面形成部位は、前記環状突出部よりも下方に設けられ、
前記容器本体部の周方向に沿って設けられた側面と、当該側面と当該容器本体部とを接続する上面と、当該側面と当該容器本体部とを接続する下面と、を有し、前記外周面から突出して設けられるとともに前記面形成部位よりも下方に設けられ当該周方向に沿って環状に形成された第２の環状突出部を更に備え、
前記第２の環状突出部の前記上面と当該第２の環状突出部の前記側面とにより形成されるエッジ部は、曲率を有して形成され、または、当該上面および当該側面に交差する関係で配置された斜面を有して形成されていることを特徴とする請求項５又は６に記載の容器。
【請求項８】
前記面形成部位は、前記環状突出部よりも下方に設けられ、
前記容器本体部は、開口を自身の上部に有するとともに当該開口を塞ぐキャップを備え、
前記容器本体部の周方向に沿って設けられた側面と、当該側面と当該容器本体部とを接続する上面と、当該側面と当該容器本体部とを接続する下面と、を有し、前記外周面から突出して設けられるとともに前記環状突出部よりも上方に且つ前記開口よりも下方に設けられ当該周方向に沿って環状に形成された第２の環状突出部を更に備え、
前記第２の環状突出部の前記上面と当該第２の環状突出部の前記側面とにより形成されるエッジ部は、曲率を有して形成され、または、当該上面および当該側面に交差する関係で配置された斜面を有して形成されていることを特徴とする請求項５又は６に記載の容器。
【請求項９】
前記面形成部位は、前記容器本体部の前記外周面に付された前記標記と予め定められた位置関係を有して配置されていることを特徴とする請求項５乃至８の何れかに記載の容器。
【発明の詳細な説明】
【技術分野】
【０００１】
本発明は、容器に関する。
【背景技術】
【０００２】
例えばコンビニエンスストアなどにおいては、ペットボトルなど飲料が充填された容器が、陳列装置に縦置きに載せられて販売される。そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
【０００３】
ここで陳列装置の容器が載せられる箇所には、容器の滑りの良さから例えばプラスチックの平板が設けられる。また、近年では回転可能なローラを多数配置した陳列装置が提案されている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。さらに、容器に関するものとして、缶底に形成された環状凸部の内周壁に、内側凹部と縦リブとが円周方向に交互に形成された缶が提案されている（例えば、特許文献３参照）。
【先行技術文献】
【特許文献】
【０００４】
【特許文献１】特開平１１−１５５７０１号公報
【特許文献２】米国特許第６５０２４０８号
【特許文献３】特開２０００−２１１６２４号公報
【発明の概要】
【発明が解決しようとする課題】
【０００５】
ところで、容器の外面には、商品名や商標名などの標記が設けられるが、この標記が購入者の取り出し方向に向いていないと、商品の識別がしにくくなるとともに、商品の陳列時の見栄えが悪くなる。このため、陳列される容器は、例えば前方側など、標記が所定の方向に向いていることが好ましくなる。
容器に付された上記標記は、容器を例えば周方向に回転させることによって所定の方向に向けることが可能となる。この回転は、例えば、予め定められた移動経路に沿って容器を移動させるとともに、容器の外周面における所定部位を陳列装置に対して接触させ、陳列装置から容器に対して抗力を与えることで行うことができる。ところで、寸法公差や組立て時の精度などに起因して、容器や陳列装置の各部の寸法が意図していた寸法とは異なるようになる場合がある。かかる場合、容器の上記所定部位を陳列装置に対して接触させることができず、容器の回転が困難となる事態が生じるおそれがある。
【課題を解決するための手段】
【０００６】
本発明が適用される容器は、予め定められた移動経路に沿って陳列物を移動させるとともに移動経路の側方から移動経路に突出した経路突出部を陳列物に接触させ陳列物を周方向に回転させる陳列装置に対し陳列可能な容器であって、標記が付された外周面を有した容器本体部と、容器本体部の周方向に沿って設けられた側面と、側面と容器本体部とを接続する上面と、側面と容器本体部とを接続する下面と、を有し、外周面から突出して設けられるとともに周方向に沿って環状に形成された環状突出部と、環状突出部よりも下方に設けられ、容器本体部が陳列装置にて移動する際に経路突出部に接触し容器本体部を周方向に回転させる回転部と、を備え、環状突出部の側面と下面とにより形成される下面側エッジ部には、容器本体部が陳列装置にて移動し側面に対して経路突出部が対峙する場合に、経路突出部を下面側に誘導する誘導部が設けられていることを特徴とする容器である。
【０００７】
ここで、環状突出部よりも上方に設けられ、容器本体部に形成された開口を塞ぐキャップを更に備え、側面と上面とにより形成される上面側エッジ部は、曲率を有して形成され、または、側面および上面に交差する関係で配置された斜面を有して形成されていることを特徴とすることができる。また、容器本体部の周方向に沿って設けられた側面と、側面と容器本体部とを接続する上面と、側面と容器本体部とを接続する下面と、を有し、外周面から突出して設けられるとともに回転部よりも下方に設けられ周方向に沿って環状に形成された第２の環状突出部を更に備え、第２の環状突出部の側面と第２の環状突出部の上面とにより形成される上面側エッジ部には、容器本体部が陳列装置にて移動し側面に対して経路突出部が対峙する場合に、経路突出部を上面側に誘導する誘導部が設けられていることを特徴とすることができる。また、第２の環状突出部の側面と第２の環状突出部の下面とにより形成される下面側エッジ部は、曲率を有して形成され、または、側面および下面に交差する関係で配置された斜面を有して形成されていることを特徴とすることができる。
【０００８】
他の観点から捉えると、本発明が適用される容器は、標記が付された外周面を有した容器本体部と、容器本体部の周方向に沿って設けられた側面と、側面と容器本体部とを接続する上面と、側面と容器本体部とを接続する下面と、を有し、外周面から突出して設けられるとともに周方向に沿って環状に形成された環状突出部と、容器本体部の高さ方向において環状突出部とは異なる位置に配置され、外周面と交差する関係で配置された面が容器本体部の周方向において複数設けられた面形成部位と、を備え、環状突出部の上面および下面のうち面形成部位が設けられている側に位置する面と側面とにより形成されるエッジ部は、曲率を有して形成され、または、面形成部位が設けられている側に位置する面および側面に交差する関係で配置された斜面を有して形成されていることを特徴とする容器である。
【０００９】
ここで、面形成部位が設けられている側に位置する面とは反対側の面と側面とにより形成されるエッジ部は、曲率を有して形成され、または、反対側の面および側面に交差する関係で配置された斜面を有して形成されていることを特徴とすることができる。また、面形成部位は、環状突出部よりも下方に設けられ、容器本体部の周方向に沿って設けられた側面と、側面と容器本体部とを接続する上面と、側面と容器本体部とを接続する下面と、を有し、外周面から突出して設けられるとともに面形成部位よりも下方に設けられ周方向に沿って環状に形成された第２の環状突出部を更に備え、第２の環状突出部の上面と第２の環状突出部の側面とにより形成されるエッジ部は、曲率を有して形成され、または、上面および側面に交差する関係で配置された斜面を有して形成されていることを特徴とすることができる。
【００１０】
さらに、面形成部位は、環状突出部よりも下方に設けられ、容器本体部は、開口を自身の上部に有するとともに開口を塞ぐキャップを備え、容器本体部の周方向に沿って設けられた側面と、側面と容器本体部とを接続する上面と、側面と容器本体部とを接続する下面と、を有し、外周面から突出して設けられるとともに環状突出部よりも上方に且つ開口よりも下方に設けられ周方向に沿って環状に形成された第２の環状突出部を更に備え、第２の環状突出部の上面と第２の環状突出部の側面とにより形成されるエッジ部は、曲率を有して形成され、または、上面および側面に交差する関係で配置された斜面を有して形成されていることを特徴とすることができる。また、面形成部位は、容器本体部の外周面に付された標記と予め定められた位置関係を有して配置されていることを特徴とすることができる。
【発明の効果】
【００１１】
本発明を採用しない場合に比べ、より確実に容器を回転させることが可能となる。
【図面の簡単な説明】
【００１２】
【図１】本発明の実施形態に係る陳列装置の概略構成を示した図である。
【図２−１】陳列装置の上面図および側面図を示している。
【図２−２】図２−１におけるＡ−Ａ線における断面図である。
【図３】容器を説明するための図である。
【図４】容器を説明するための図である。
【図５】陳列装置における容器の動作を説明するための図である。
【図６】容器の他の動作例を示した図である。
【図７】容器の他の動作例を示した図である。
【図８】容器の変形例を示した図である。
【図９】容器の変形例を示した図である。
【図１０】陳列装置の変形例を示す図である。
【図１１】容器の他の変形例を示した図である。
【図１２】容器の他の変形例を示した図である。
【図１３】陳列装置における容器の動作を説明するための図である。
【図１４】容器の他の変形例を示した図である。
【図１５】容器の他の変形例を示した図である。
【図１６】陳列装置における容器の動作を説明するための図である。
【図１７】容器における識別標記の配置位置を説明するための図である。
【図１８】容器の他の変形例を示した図である。
【図１９】容器の他の変形例を示した図である。
【図２０】容器の他の変形例を示した図である。
【図２１】陳列装置における容器の動作を説明するための図である。
【図２２】容器の他の構成例を示した図である。
【図２３】容器の他の構成例を示した図である。
【図２４】陳列装置における容器の動作を示した図である。
【図２５】容器の変形例を示した図である。
【図２６】容器の変形例を示した図である。
【図２７】容器の他の変形例を示した図である。
【図２８】容器の他の変形例を示した図である。
【図２９】陳列装置における容器の動作を示した図である。
【図３０】容器の変形例の他の一例を示した図である。
【図３１】容器の変形例の他の一例を示した図である。
【図３２】第１突起〜第５突起の配置態様を説明する図である。
【発明を実施するための形態】
【００１３】
以下、添付図面を参照して、本発明を実施するための形態について詳細に説明する。
図１は、本発明の実施形態に係る陳列装置の概略構成を示した図である。
同図（Ａ）に示すように、本実施形態における陳列装置３０は、図柄が印刷されたフィルムＦが外周面に装着され且つ飲料が内部に充填された容器２０が載せられる載置部３１と、容器２０の移動経路を形成するとともに容器２０の移動を案内するガイド３２とを備えている。また、載置部３１の一側辺に沿って配置され、容器２０の移動を停止させる、好ましくは透明に形成される規制板３４を備えている。また、陳列装置３０は、容器２０を回転させ容器２０に付された識別標記２３を前方に向ける回転機構５０を備えている。
【００１４】
陳列装置３０は、同図（Ｂ）に示すように、コンビニエンスストア、スーパーマーケットなどに設置される陳列ケース１０の内部に収納される。この陳列ケース１０は、直方体状に形成されたケース本体部１０Ａと、このケース本体部１０Ａに対して開閉可能に設けられたドア１０Ｂとにより主要部が構成されている。
ここで陳列装置３０は、陳列ケース１０に設けられた棚（不図示）の上に載せられる。この際、陳列装置３０は、規制板３４が設けられた側がドア１０Ｂ側に位置するように設置される。また陳列装置３０の載置部３１は、規制板３４が設けられた側が、規制板３４が設けられた側とは反対側よりも下方に位置するように配置される。即ち、陳列装置３０の載置部３１は、陳列ケース１０の後方側から容器２０が取り出される前方側（取り出し部側）に向かって下り傾斜した状態で配置される。
【００１５】
ここで本実施形態における陳列ケース１０は、後方側にもドアが設けられ（不図示）、後方側も開放可能となっている。そしてこの後方側より陳列装置３０に容器２０が投入される。即ち、陳列ケース１０の後方側および陳列装置３０の後方側に容器２０の投入部が設けられた構成となっている。そして、投入された容器２０は載置部３１上をドア１０Ｂ側に向かって移動する。即ち、容器２０を購入する購入者側に向かって移動する。なお、本明細書では、ドア１０Ｂ側を前方側（前方）と称しドア１０Ｂとは反対側を後方側（後方）と称する場合がある。また、陳列ケース１０の幅方向（容器２０が移動する方向に直交する方向）を横方向、幅方向と称する場合がある。
【００１６】
次に陳列装置３０についてより詳細に説明する。
図２−１は、陳列装置３０の上面図および側面図を示している。詳細には、同図（Ａ）は上面図を示し、同図（Ｂ）は右側面図を示している。また、図２−２は、図２−１におけるＡ−Ａ線における断面図である。
本実施形態における陳列装置３０では、図２−１（Ａ）に示すように、載置部３１に、複数のロール状部材３１１が設けられている。詳細に説明すると、複数のロール状部材３１１が前後方向に沿って並べられた第１ローラ列３１２と、同じく複数のロール状部材３１１が前後方向に沿って並べられた第２ローラ列３１３とが、載置部３１に設けられている。各々のロール状部材３１１は、容器２０の移動経路に沿った回転が可能なように設けられており、容器２０を前方へ円滑に移動させる。
【００１７】
また、陳列装置３０は、上記のとおり、容器２０を回転させ容器２０に付された識別標記２３を前方に向ける回転機構５０を備えている。
ここで回転機構５０は、同図（Ａ）に示すように、容器２０の移動経路に沿って設けられ且つ載置部３１の上方に設けられた棒状部材５１と、この棒状部材５１に取り付けられ容器２０の移動経路に突出した経路突出部の一例としての第１ピン５２１〜第６ピン５２６を備えている。ここで本実施形態では、容器２０の移動方向最上流側に第１ピン５２１が配置され、移動方向最下流側に第６ピン５２６が配置されている。また、第１ピン５２１〜第６ピン５２６の各々は、一定の間隙をおいて配置されている。また、回転機構５０は、棒状部材５１を右方側のガイド３２に固定する固定部材５３を備えている。
【００１８】
また、同図（Ｂ）に示すように、棒状部材５１には、前方に向かうに従い載置部３１から離れるような傾斜が付与されている。このため、本実施形態では、第１ピン５２１が載置部３１の最も近くに配置され、第６ピン５２６が載置部３１から最も離れた箇所に位置している。付言すれば第１ピン５２１〜第６ピン５２６は、高さ方向における位置が互いにずらされて配置されている。なお、本図では、理解を容易にするため、棒状部材５１の傾斜を実際の傾斜よりも大きく表示している。
【００１９】
また、本実施形態における固定部材５３は、右方側のガイド３２に差し込まれているとともに、この右方側のガイド３２に対してスライド可能となっている。このため、本実施形態における陳列装置３０では、固定部材５３を右方側のガイド３２に対しスライドさせることで第１ピン５２１〜第６ピン５２６を高さ方向に移動させることが可能となっている。また、本実施形態では、固定部材５３を右方側のガイド３２に位置決めするネジ５４が設けられている。
【００２０】
図２−２を参照してさらに詳細に説明すると、右方側のガイド３２は、矩形状の穴３２Ａを備えている。そして、本実施形態では、この穴３２Ａに対し固定部材５３がスライド可能な状態で差し込まれている。そして、穴３２Ａに差し込まれた固定部材５３をスライドさせることで第１ピン５２１〜第６ピン５２６を高さ方向に移動させることが可能となっている。また、固定部材５３は、ネジ５４によって、穴３２Ａの内壁に押し付けられ固定される。
【００２１】
次いで容器２０について説明する。
図３および図４は、容器２０を説明するための図である。なお、図３（Ａ）は容器２０の正面図を示し、同図（Ｂ）は容器２０の左側面図を示している。また、図４（Ａ）は容器２０の背面図を示し、同図（Ｂ）は容器２０の右側面図を示している。また、図３（Ａ）、（Ｂ）、図４（Ａ）、（Ｂ）の各々の上部に表示した図は、Ａ−Ａ線における断面図を示している。
【００２２】
本実施形態における容器２０は、ＰＥＴ（ポリエチレンテレフタレート）などの樹脂材料により形成された容器を例示している。例えば、このような容器２０は、樹脂材料を用いた射出成形（ブロー成形）法、樹脂材料を用いてプリフォームを成形後、これをブロー成形する方法により製造することができる。
図３（Ａ）に示すように本実施形態における容器２０は、上部に開口（飲み口）を有し且つ筒状に形成され内部に飲料が充填された容器本体２１と、容器本体２１の開口を塞ぐキャップ２２とを備えている。また容器本体２１の外周面には、フィルムＦが装着されている。なお、容器本体２１は、上部側の径が底部側の径よりも小さくなっている。即ち、容器本体２１は、上部側が縮径された状態となっている。
【００２３】
ここでフィルムＦには、同図（Ａ）に示すように、商品名、商標名など他の商品と識別するための識別標記２３が印刷されている。
また容器２０は、容器本体２１の上部に（キャップ２２の下部に）、容器本体２１の外周面から容器本体２１の径方向に環状に突出した第１突出部２４を備えている。付言すれば、容器２０は、容器本体２１の周方向に沿って設けられるとともに環状に形成された第１突出部２４（環状突出部の一例）を備えている。
【００２４】
ここで、この第１突出部２４は、容器本体２１と一体に形成されている。また、第１突出部２４は、一定の厚みを有し板状に形成されている。このため、第１突出部２４は、同図（Ｃ）に示すように、容器本体２１の周方向に沿って設けられた側面２３２と、この側面２３２と容器本体２１とを接続する上面２３１とが交差する部位に、第１突出部２４の周方向に沿って設けられた第１エッジ部Ｅ１（上面側エッジ部の一例）を有している。また、側面２３２と容器本体２１とを接続する下面２３３と、側面２３２とが交差する部位に、第１突出部２４の周方向に沿って設けられた第２エッジ部Ｅ２（下面側エッジ部の一例）を有している。また、本実施形態では、第１エッジ部Ｅ１に対し面取りが施されており、第１エッジ部Ｅ１は、曲率を有し円弧状となっている。なお、同図（Ｄ）に示すように、第１エッジ部Ｅ１および第２エッジ部Ｅ２の両者に面取りを施すようにしてもよい。
【００２５】
また、第１エッジ部Ｅ１に対して面取りを施すことにより、同図（Ｅ）に示すように、第１エッジ部Ｅ１に対して斜面２３４を形成することもできる。この斜面２３４は、平坦面として形成されているとともに、一端が上面２３１に接続され他端が側面２３２に接続されている。また、斜面２３４は、上面２３１および側面２３２に対し交差する関係で配置されている。なお、斜面２３４は、同図（Ｆ）に示すように、第１エッジ部Ｅ１のみならず第２エッジ部Ｅ２に対しても形成することができる。
【００２６】
ここで、第１エッジ部Ｅ１に対して面取りを施した場合、キャップ２２を操作するユーザの手や指が第１突出部２４に引っ掛かりにくくなり、キャップ２２を操作する際の操作性が向上する。また、詳細は後述するが、第２エッジ部Ｅ２に対して面取りを施した場合、容器２０の第６平坦面２５６が第６ピン５２６に対しより確実に突き当たるようになり、容器２０の回転がより確実に行われるようになる。
なお、第１エッジ部Ｅ１や第２エッジ部Ｅ２における面取りは、例えば、容器本体２１を形成する金型に対し第１エッジ部Ｅ１や第２エッジ部Ｅ２に対応する形状を付与しておくことで形成することができる。また、例えば、容器本体２１を形成した後、第１エッジ部Ｅ１、第２エッジ部Ｅ２に対し切削加工を行うことで形成することができる。
なお、図８以降に示す容器２０においても第１突出部２４が設けられているが、この第１突出部２４に対しても、図３（Ｃ）〜（Ｆ）に示した形状を付与することができる。
【００２７】
また容器２０は、第１突出部２４の下方に、容器２０の径方向に突出した凸部２５を備えている。付言すれば、容器２０は、容器本体２１の外周面よりも容器本体２１の外方側に位置した箇所に凸部２５を有している。ここで、この凸部２５の突出量は、第１突出部２４の突出量よりも小さくなっている。この場合、凸部２５が第１突出部２４よりも突出している場合に比べ、キャップ２２を操作をする際のユーザの手指が凸部２５に引っ掛かりにくくなる。また、凸部２５は、図３（Ａ）の断面図に示すように、識別標記２３が設けられた側から識別標記２３が設けられた側とは反対側にかけて、容器本体２１に巻き付くように設けられている。付言すれば、識別標記２３が設けられた側から反対側に向かって時計回り方向に沿って設けられている。さらに説明すると、凸部２５は、容器本体２１の周方向における所定範囲内に設けられている。
【００２８】
さらに説明すると、容器２０は、容器２０を識別標記２３が設けられた側から眺めた場合に（図３（Ａ）参照）、容器２０の右側面側に、凸部２５が設けられていない構成となっている。付言すると、凸部２５が設けられている高さ方向の位置において、容器２０の右側面側は（凸部２５に隣接する領域は）、容器本体２１が露出する状態となっている。さらに説明すると、容器本体２１の右側面に対する接線且つ容器２０の正面側から背面側に向かう接線であって上記凸部２５が設けられた高さ位置を通る接線（図３（Ａ）の断面図参照）よりも容器２０の右方側には、凸部２５が設けられていない構成となっている。
【００２９】
また、凸部２５は、その下面が階段状に形成されており、複数の段部を備えた構成となっている。詳細に説明すると、凸部２５は、時計回り方向に進むに従い高さが減少するように、その下面が階段状に形成されている。このため、本実施形態における凸部２５は、その下部に、高さ方向における位置が互いに異なる第１平坦面２５１〜第６平坦面２５６（容器本体２１の外周面と交差（直交する）する関係の面）を備えた構成となっている。付言すると、凸部２５は、高さ方向における位置が互いに異なりまた容器本体２１の周方向における位置が互いに異なる複数の端面を有している。ここで凸部２５（第１平坦面２５１〜第６平坦面２５６）が設けられた領域は面形成部位として捉えることができる。また、凸部２５（第１平坦面２５１〜第６平坦面２５６）は、容器本体２１が陳列装置３０にて移動する際に経路突出部の一例としての第１ピン５２１〜第６ピン５２６に接触し容器本体２１を周方向に回転させる回転部として捉えることもできる。
【００３０】
ここで、第１平坦面２５１〜第６平坦面２５６の各々は、図３（Ａ）に示すように、容器本体２１の外周面に対して交差する関係（略直交する関係）で配置されている。また、第１平坦面２５１は、図３（Ａ）に示すように、識別標記２３が設けられた側に位置している。また、第６平坦面２５６は、図４（Ａ）に示すように、識別標記２３が設けられた側とは反対側に位置している。また、第２平坦面２５２〜第５平坦面２５５は、第１平坦面２５１から第６平坦面２５６に向かって、第２平坦面２５２、第３平坦面２５３、第４平坦面２５４、第５平坦面２５５の順に設けられている。さらに、容器２０の周方向において、第１平坦面２５１〜第６平坦面２５６は所定の角度毎に設けられている。また、第１平坦面２５１が最も下部に位置し、第６平坦面２５６が最も上部に位置している。
【００３１】
なお、上記凸部２５や後述する第１突起２４１〜第５突起２４５は、容器２０の形成時に形成することができる。また、例えば、樹脂片や金属片などの部材を別途貼付等したりして形成することができる。
【００３２】
次いで陳列装置３０における容器２０の動作について説明する。
図５は、陳列装置３０における容器２０の動作を説明するための図である。なお、本図では、第１ローラ列３１２、第２ローラ列３１３、および固定部材５３の図示を省略している。また、以下の図では、図を見やすくするため、第１突出部２４よりも上方に第１ピン５２１等を表示している。
【００３３】
同図の符号５Ａに示すように、識別標記２３が右斜め前方を向いた状態で容器２０が陳列装置３０に投入された場合、第１ピン５２１に対し第１平坦面２５１が突き当たるようになる。これによって容器２０には回転力が付与され、容器２０は反時計回りに回転を行うようになる。次いで容器２０の前方への移動に伴い、第２ピン５２２に対し第２平坦面２５２が突き当たり（符号５Ｂ参照）、容器２０は同様に反時計回りの回転を行う。
【００３４】
その後、容器２０は、第３ピン５２３に第３平坦面２５３が突き当たり、第４ピン５２４に第４平坦面２５４が突き当たり、第５ピン５２５に第５平坦面２５５が突き当たることで、周方向の回転を順次行っておく。そして最終的に、第６平坦面２５６が第６ピン５２６に突き当たることで、識別標記２３が前方を向くようになる（符号５Ｃ参照）。その後、容器２０は、載置部３１上をスライドし陳列装置３０の前方に到達する。
【００３５】
本実施形態では、識別標記２３と凸部２５（第１平坦面２５１〜第６平坦面２５６）が設けられた領域とが予め定められた位置関係を有して配置されている。また、識別標記２３と凸部２５が設けられていない領域も予め定められた位置関係を有して配置されている。具体的には、識別標記２３が一方向を向いている場合に、凸部２５が設けられていない領域がこの一方向と直交する方向を向くようになっている。
【００３６】
このため本実施形態では、識別標記２３が前方以外の方向を向いている場合には容器２０が回転し、識別標記２３が前方を向いている場合には容器２０は回転を行わない。付言すると、識別標記２３が前方に向いていない状態で容器２０の投入を行ったとしても、陳列装置３０の前方側に容器２０が達した際に識別標記２３を前方に向いた状態となる。即ち本実施形態では、容器２０を陳列装置３０に投入する投入者が特別な操作をしないでも、識別標記２３が前方を向くこととなる。
【００３７】
なお、各部材の公差などによって、例えば、第６ピン５２６が、予定されていた位置よりも上方に位置してしまう場合がある。また、例えば、容器２０の製造時における各種誤差により、第１突出部２４の下面２３３（図３（Ｃ）参照）が本来の位置よりも下方に位置してしまう場合がある。そしてこのような場合にて、容器２０が第６ピン５２６に到達すると、第１突出部２４の下方に第６ピン５２６が入り込めず、第６ピン５２６が第１突出部２４の側面２３２（図３（Ｃ）参照）に突き当たる（対峙する）おそれがある。そしてこの場合、符号５Ｃに示したような回転が困難となる。
【００３８】
ここで、図３（Ｄ）、（Ｆ）に示したように、第２エッジ部Ｅ２に面取りを施した場合、第６ピン５２６が第１突出部２４の下方に入り込みやすくなる。即ち、第６ピン５２６は、面取りが施された第２エッジ部Ｅ２により誘導され第１突出部２４の下方に入り込みやすくなる。この結果、第６平坦面２５６が第６ピン５２６により確実に突き当たるようになり、符号５Ｃに示した容器２０の回転がより確実に行われるようになる。なお、第２エッジ部Ｅ２における面取り部は、側面２３２に対して経路突出部の一例としての第６ピン５２６が対峙する場合に、この第６ピン５２６を下面２３３側に誘導する誘導部として捉えることができる。
【００３９】
次いで容器２０の他の動作例を説明する。
図６、図７は、容器２０の他の動作例を示した図である。
図６（Ａ）に示すように、識別標記２３が陳列装置３０の後方側を向いた状態で容器２０が投入された場合、第３平坦面２５３が陳列装置３０の前方を向いた状態となる。そして容器２０は前方へ移動することとなるが、この第３平坦面２５３は、第１ピン５２１、第２ピン５２２（図２−１（Ｂ）も参照）の上方を通過するようになる。このため、容器２０は、回転せずに第３ピン５２３まで到達する。そして、容器２０はこの第３ピン５２３から回転力を受け上記と同様に回転を行う。そして容器２０は、上記と同様に、識別標記２３が前方を向いた状態で陳列装置３０の前方に到達する。
【００４０】
また例えば図６（Ｂ）に示すように、識別標記２３が左斜め前方を向いた状態で容器２０が投入された場合、第６平坦面２５６が陳列装置３０の前方を向いた状態となる。そして容器２０は前方へ移動することとなるが、この第６平坦面２５６は、第１ピン５２１〜第５ピン５２５（図２−１（Ｂ）も参照）の上方を通過するようになる。このため、容器２０は、回転せずに第６ピン５２６まで到達する。そして、容器２０はこの第６ピン５２６から回転力を受け上記と同様に回転を行う。そして容器２０は、上記と同様に、識別標記２３が前方を向いた状態で陳列装置３０の前方に到達する。
【００４１】
さらに例えば図７に示すように、識別標記２３が前方を向いた状態で容器２０が投入される場合もある。この場合、容器２０の側面であって第１ピン５２１〜第６ピン５２６が配置された側と対向する側面には、凸部２５が存在しない状態となる。付言すれば、凸部２５が存在しない領域（面）と、第１ピン５２１〜第６ピン５２６が配置された側とが対峙するようになる。さらに付言すれば、第１ピン５２１〜第６ピン５２６に突き当たる第１平坦面２５１〜第６平坦面２５６が、容器２０の図中右側面側に位置しない状態となる。このため、容器２０は、回転を行うことなく陳列装置３０の前方まで到達する。即ち、識別標記２３が前方を向いた状態を維持したまま陳列装置３０の前方まで到達する。
【００４２】
ここで、上記では一つの容器２０を投入した場合の動作を説明したが、陳列装置３０に既に複数の容器２０が陳列されている場合には、先頭に位置する容器２０の取り出しを行うと、この容器２０の分、空間が形成される。そして、この空間に向かって２番目の容器２０が移動するようになる。また、この２番目の容器２０に後続する容器２０の移動も開始される。この際、各容器２０は、第１ピン５２１〜第６ピン５２６により回転し、各容器２０の識別標記２３が前方を向くようになる。
【００４３】
なお容器２０は次のような形態とすることができる。
図８、図９は、容器２０の変形例を示した図である。なお、図８（Ａ）は容器２０の正面図を示し、同図（Ｂ）は容器２０の左側面図を示している。また、図９（Ａ）は容器２０の背面図を示し、同図（Ｂ）は容器２０の右側面図を示している。また、図８（Ａ）、（Ｂ）、図９（Ａ）、（Ｂ）の各々の上部に表示した図は、Ａ−Ａ線における断面図を示している。
【００４４】
図３、図４に示した容器２０においては、凸部２５における階段状の部位を、凸部２５の下面（下部）に設けたが、本変形例では、凸部２５の上面（上部）に設けている。なお、このような形態の容器２０を用いる場合には、図１０（陳列装置３０の変形例を示す図）に示す陳列装置３０を用いる。
この陳列装置３０では、棒状部材５１の傾斜を、図２−１で示した棒状部材５１の傾斜とは異ならせている。即ち、本棒状部材５１は、前方に向かうに従い載置部３１に接近するように配置されている。このため、本陳列装置３０では、第６ピン５２６が載置部３１の最も近くに配置され、第１ピン５２１が載置部３１から最も遠い位置に位置している。
【００４５】
容器２０の変形例を更に説明する。
図１１、図１２は、容器２０の他の変形例を示した図である。なお、図１１（Ａ）は容器２０の正面図を示し、同図（Ｂ）は容器２０の左側面図を示している。また、図１２（Ａ）は容器２０の背面図を示し、同図（Ｂ）は容器２０の右側面図を示している。また、図１１（Ａ）、（Ｂ）、図１２（Ａ）、（Ｂ）の各々の上部に表示した図は、Ａ−Ａ線における断面図を示している。
【００４６】
本変形例における容器２０では、識別標記２３が２つ設けられた状態となっている。即ち、第１識別標記２３ａ、第２識別標記２３ｂが設けられた状態となっている。ここで、第１識別標記２３ａおよび第２識別標記２３ｂは、容器２０の周方向において、位相が１８０°ずれた状態となっている。付言すれば、第１識別標記２３ａが設けられた側とは反対側に第２識別標記２３ｂが設けられた状態となっている。
【００４７】
また、本変形例における容器２０では、凸部２５が２つ設けられた状態となっている。詳細には、第１識別標記２３ａの上部に一方の凸部２５が設けられ、第２識別標記２３ｂの上部に他方の凸部２５が設けられている。さらに説明すると、第１識別標記２３ａおよび第２識別標記２３ｂに対して位相が９０°ずれた位置には、凸部２５が設けられていない構成となっている。なお、凸部２５の各々は、上記と同様に、下面が階段状に形成され、下部に、第１平坦面２５１〜第３平坦面２５３を備えている。
【００４８】
次いで、陳列装置３０における容器２０の動作について説明する。
図１３は、陳列装置３０における容器２０の動作を説明するための図である。
図１３（Ａ）に示すように、例えば第１識別標記２３ａが陳列装置３０の後方側を向いた状態で容器２０が投入された場合、２つの凸部２５のうちの一方の凸部２５における第１平坦面２５１が陳列装置３０の前方を向いた状態となる。そして容器２０は前方へ移動することとなるが、この際、この第１平坦面２５１が、第１ピン５２１に突き当たるようになる。この結果、容器２０は反時計回りに回転する。その後、第２平坦面２５２が第２ピン５２２に突き当たり、容器２０は更に回転する。また、第３平坦面２５３が第３ピン５２３に突き当たり、容器２０は更に回転する。これにより第１識別標記２３ａが前方を向くようになる。
【００４９】
また、図１３（Ｂ）に示すように、例えば第２識別標記２３ｂが陳列装置３０の後方側を向いた状態で容器２０が投入された場合、２つの凸部２５のうちの他方の凸部２５における第１平坦面２５１が陳列装置３０の前方を向いた状態となる。そして容器２０は前方へ移動することとなるが、この際、この第１平坦面２５１が、第１ピン５２１に突き当たるようになる。この結果、容器２０は反時計回りに回転する。その後、第２平坦面２５２が第２ピン５２２に突き当たり、容器２０は更に回転する。また、第３平坦面２５３が第３ピン５２３に突き当たり、容器２０は更に回転する。これにより第２識別標記２３ｂが前方を向くようになる。
【００５０】
なお、上記の容器２０においては、各々の凸部２５に、３つの平坦面が設けられている。このため、陳列装置３０においては、この３つの平坦面に対応させて３本のピンを設けている。即ち、本変形例では、３６０°に近い容器２０の回転（図５参照）を行わないでよいため、ピンの数を減らすことが可能となる。この結果、図１３に示したように、陳列装置３０の上部のみに回転機構５０が設けられた構成となる。
【００５１】
ここで図２−１に示した陳列装置３０では、容器２０の移動経路の右側に第１ピン５２１〜第６ピン５２６が設けられていたが、設置スペース等の関係から移動経路の左側に第１ピン５２１〜第６ピン５２６を設けたい場合もある。ところでこのような構成の陳列装置３０に対して上記の容器２０を投入しても容器２０を回転させることはできない。このため、容器２０は次のような形態とすることもできる。
【００５２】
図１４、図１５は、容器２０の他の変形例を示した図である。なお、図１４（Ａ）は容器２０の正面図を示し、同図（Ｂ）は容器２０の左側面図を示している。また、図１５（Ａ）は容器２０の背面図を示し、同図（Ｂ）は容器２０の右側面図を示している。また、図１４（Ａ）、（Ｂ）、図１５（Ａ）、（Ｂ）の各々の上部に表示した図は、Ａ−Ａ線における断面図、およびＢ−Ｂ線における断面図を示している。
【００５３】
ここで本変形例における容器２０では、上記と同様に、凸部２５が２つ設けられている。但し、２つの凸部２５は、上下にずらされて配置されている。付言すれば、上方に一方の凸部２５が設けられ、下方に他方の凸部２５が設けられている。
【００５４】
ここで、上方に配置された一方の凸部２５は、高さ方向における寸法を除き、図８、図９で示した凸部２５と同様の構成となっている。
また、下方に配置された他方の凸部２５は、基本的には、図３、図４で示した凸部２５と同様の構成となっている。即ち、識別標記２３が設けられた側から識別標記２３が設けられた側とは反対側にかけて、容器本体２１に巻き付くように設けられている。
但し、下方に配置された他方の凸部２５は、上方に位置する凸部２５と異なり、識別標記２３が設けられた側から反時計回り方向に向かって設けられている。さらに説明すると、下方の凸部２５が設けられた高さ方向の位置において、容器２０の左側面側には、凸部２５が設けていない構成となっている（図１４（Ａ）参照）。付言すれば、この左側面側は、容器本体２１が露出する状態となっている。
【００５５】
ついで陳列装置３０における容器２０の動作について説明する。
図１６は、陳列装置３０における容器２０の動作を説明するための図である。ここで本図では、容器２０の移動経路の左側に第１ピン５２１〜第６ピン５２６が設けられた陳列装置３０を示している。
同図の符号１６Ａに示すように、識別標記２３が左斜め前方を向いた状態で容器２０が陳列装置３０に投入された場合、第１ピン５２１に対し下方に位置する凸部２５の第１平坦面２５１が突き当たるようになる。これによって容器２０には回転力が付与され、容器２０は時計回りに回転を行う。次いで容器２０の前方への移動に伴い、第２ピン５２２に対し第２平坦面２５２が突き当たり（符号１６Ｂ参照）、容器２０は同様に時計回りの回転を行う。
【００５６】
その後、容器２０は、第３平坦面２５３が第３ピン５２３に突き当たり、第４平坦面２５４が第４ピン５２４に突き当たり、第５平坦面２５５が第５ピン５２５に突き当たることで、時計回りの回転を順次行っていく。そして最終的に、第６平坦面２５６が第６ピン５２６に突き当たることで、識別標記２３が前方を向くようになる（符号１６Ｃ参照）。その後、容器２０は、載置部３１上をスライド移動し、識別標記２３が前方を向いた状態で陳列装置３０の前方に到達する。
【００５７】
なお、第１ピン５２１〜第６ピン５２６が上方の凸部２５に対応した位置に設けられていると、容器２０を上記のように回転させることができない。このため、容器２０の移動経路の左側に第１ピン５２１〜第６ピン５２６を設ける場合、第１ピン５２１〜第６ピン５２６が下方の凸部２５に対応するように、第１ピン５２１〜第６ピン５２６（固定部材５３）の位置を調整する必要がある。
【００５８】
ところで容器２０における識別標記２３は１つに限らず２つ設けられる場合も多い。また、２つ設けられた識別標記２３は、１８０°の位相ずれに限らず、図１７（容器２０における識別標記２３の配置位置を説明するための図）に示すように１８０°以外のずれを有して配置される場合もある。このような容器２０に対しては、凸部２５を次のように設けることができる。
【００５９】
図１８は、容器２０の他の変形例を示した図である。
ここで本図における容器２０では、第１識別標記２３ａと第２識別標記２３ｂの２つの識別標記２３が設けられている。なお、同図（Ａ）は容器２０を第１識別標記２３ａが設けられた側から眺めた場合の図を示し、同図（Ｂ）は容器２０を第２識別標記２３ｂが設けられた側から眺めた場合の図を示している。また同図（Ａ）、（Ｂ）の各々の上部に表示した図は、Ａ−Ａ線における断面図、Ｂ−Ｂ線における断面図を示している。ここで、本図では、第１識別標記２３ａおよび第２識別標記２３ｂが１２０°のずれを有して配置された場合を例示している。
【００６０】
本変形例における容器２０においても、２つの凸部２５が設けられている。そして一方の凸部２５は上方に配置され、他方の凸部２５は下方に配置されている。また、一方の凸部２５と他方の凸部２５は、容器２０の周方向において互いにずれた状態で設けられている。なお、２つの凸部２５の各々は、高さ方向における寸法を除き、図３、図４で示した凸部２５と同様の構成を有している。
【００６１】
また、上方に位置する凸部２５は、第１識別標記２３ａに対応して設けられ、下方に位置する凸部２５は第２識別標記２３ｂに対応して設けられている。
このため、上方の凸部２５が設けられた位置（高さ方向における位置）において、容器本体２１の右側面には、凸部２５が設けられておらず、容器本体２１が露出する状態となっている（同図（Ａ）参照）。また、下方の凸部２５が設けられた位置（高さ方向における位置）において、容器本体２１の右側面には、凸部２５が設けられておらず、容器本体２１が露出する状態となっている（同図（Ｂ）参照）。
【００６２】
ここで陳列装置３０において第１識別標記２３ａを前方に向けたい場合には、固定部材５３の高さ方向における位置を調整し、上記第１ピン５２１〜第６ピン５２６を、上方に位置する凸部２５に対応するように配置する。そしてこの状態にて容器２０を陳列装置３０に投入すると、上記にて説明したように、第１識別標記２３ａが前方を向くようになる。また、陳列装置３０において第２識別標記２３ｂを前方に向けたい場合には、固定部材５３の高さ方向における位置を調整し、第１ピン５２１〜第６ピン５２６を、下方に位置する凸部２５に対応するように配置する。そしてこの状態にて容器２０を投入すると、第２識別標記２３ｂが前方を向くようになる。
【００６３】
また容器２０は次のような構成とすることもできる。
図１９、図２０は、容器２０の他の変形例を示した図である。なお、図１９は容器２０の正面図であり、図２０は容器２０の背面図である。また、図２０の上部に示した２つの図は、それぞれＡ−Ａ線における断面図、Ｂ−Ｂ線における断面図を示している。
【００６４】
ここで本容器２０では、図１９に示すように一つの識別標記２３が設けられている。また、上記と同様、第１突出部２４が設けられている。さらに本容器２０では、図２０に示すように、識別標記２３が設けられた側とは反対側に、凸部２５が２つ設けられている。さらに説明すると、識別標記２３に対して位相が１８０°ずれた位置に、２つの凸部２５が設けられている。また、識別標記２３に対して位相が９０°、−９０°ずれた位置には、凸部２５が設けられていない構成となっている。
【００６５】
２つの凸部２５は、上下にずらされて配置されている。付言すれば、上方に一方の凸部２５が設けられ、下方に他方の凸部２５が設けられている。
ここで、上方に配置された一方の凸部２５は、高さ方向における寸法を除き、図１１（Ａ）で示した凸部２５と同様の構成となっている。即ち、上方に配置された一方の凸部２５は、下面が階段状に形成され、下部に、第１平坦面２５１〜第３平坦面２５３を備えている。Ａ−Ａ線における断面図も参照しながらさらに説明すれば、時計回り方向において、第１平坦面２５１〜第３平坦面２５３は、第１平坦面２５１、第２平坦面２５２、第３平坦面２５３の順に設けられている。
【００６６】
また、下方に配置された他方の凸部２５は、上方に配置された上記一方の凸部２５と同様の構成を基本的に有している。但し、Ｂ−Ｂ線における断面図に示すように、第１平坦面２５１〜第３平坦面２５３は、時計回り方向において、第３平坦面２５３、第２平坦面２５２、第１平坦面２５１の順に設けられている。
【００６７】
次いで陳列装置３０における容器２０の動作について説明する。
図２１は、陳列装置３０における容器２０の動作を説明するための図である。ここで本図では、容器２０の移動経路の左側に第１ピン５２１〜第３ピン５２３が設けられ、また、容器２０の移動経路の右側に第１ピン５２１〜第３ピン５２３が設けられた陳列装置３０を示している。
【００６８】
同図（Ａ）に示すように、例えば識別標記２３が陳列装置３０の左側且つ後方側を向いた状態で容器２０が投入された場合、上記２つの凸部２５のうちの一方の凸部２５（上方の凸部２５）における第１平坦面２５１が陳列装置３０の前方を向いた状態となる。そして容器２０は前方へ移動することとなるが、この際、この第１平坦面２５１が、移動経路の右側に設けられた第１ピン５２１に突き当たるようになる。この結果、容器２０は反時計回りに回転する。その後、第２平坦面２５２が同じく右側に設けられた第２ピン５２２に突き当たり、容器２０は更に回転する。また、第３平坦面２５３が同じく右側に設けられた第３ピン５２３に突き当たり、容器２０は更に回転する。これにより識別標記２３が前方を向くようになる。
【００６９】
また、同図（Ｂ）に示すように、例えば識別標記２３が陳列装置３０の右側且つ後方側を向いた状態で容器２０が投入された場合、上記２つの凸部２５のうちの他方の凸部２５（下方の凸部２５）における第１平坦面２５１が陳列装置３０の前方を向いた状態となる。そして容器２０は前方へ移動することとなるが、この際、この第１平坦面２５１が、移動経路の左側の第１ピン５２１に突き当たるようになる。この結果、容器２０は時計回りに回転する。その後、第２平坦面２５２が同じく左側の第２ピン５２２に突き当たり、容器２０は更に回転する。また、第３平坦面２５３が同じく左側の第３ピン５２３に突き当たり、容器２０は更に回転する。これにより識別標記２３が前方を向くようになる。
【００７０】
ここで、移動経路の左側に位置する第１ピン５２１〜第３ピン５２３は、上記他方の凸部２５（下方の凸部２５）に対応するため、移動経路の右側に位置する第１ピン５２１〜第３ピン５２３よりも下方に（載置部３１に近い側に）位置している。
【００７１】
識別標記２３が一つ設けられた容器２０の場合、図２−１〜図４に示した構成によって識別標記２３を前方に向けることが可能となるが、この構成の場合、上記にて説明したように、第１ピン５２１〜第６ピン５２６の６本のピンが必要となる。付言すれば、容器２０を３６０°近く回転させる必要があるため、図２−１にも示したように、容器２０の取り出し部の近くまでピンが配置されることとなる。そしてこの場合、容器２０が取り出しにくくなるおそれがある。
【００７２】
図１９、図２０で示した容器２０の場合、図２−１で示した構成よりもピンの数を減らすことが可能となり、ピンを陳列装置３０の例えば上部側に設置可能となる。この場合、容器２０をより取り出しやすくなる。また、第１ピン５２１〜第６ピン５２６の６本のピンが必要な場合（容器２０を３６０°近く回転させる必要がある場合）、陳列装置３０の前後方向における長さが大きくなる。図１９〜図２１で示した構成の場合、容器２０を最大で１８０°回転させればよいため、陳列装置３０の前後方向における長さを小さいものとすることが可能となる。
【００７３】
上記では凸部２５を用いて容器２０の識別標記２３を前方に向ける例を説明した。ところで容器２０は次のような構成とすることもできる。
図２２、図２３は、容器２０の他の構成例を示した図である。なお、図２２（Ａ）は容器２０の正面図を示し、同図（Ｂ）は容器２０の左側面図を示している。また、図２３（Ａ）は容器２０の背面図を示し、同図（Ｂ）は容器２０の右側面図を示している。また、図２２（Ａ）、（Ｂ）、図２３（Ａ）、（Ｂ）の各々の上部に表示した図は、Ａ−Ａ線における断面図を示している。
【００７４】
本実施形態における容器２０は、第１突出部２４の下部に、この第１突出部２４から下方に突出する棒状の第１突起２４１〜第５突起２４５を備えている。ここで第１突起２４１〜第５突起２４５は、容器２０の周方向に沿って設けられている。また、第１突起２４１〜第５突起２４５は、容器２０の周方向（時計回り方向）において、第１突起２４１、
第２突起２４２、第３突起２４３、第４突起２４４、第５突起２４５、の順に設けられている。さらに、第１突起２４１〜第５突起２４５は、ほぼ等間隔に配置されている。
【００７５】
また第１突起２４１は、識別標記２３が設けられた側であって容器２０の右側面側に設けられている（図２２（Ａ）参照）。また、第５突起２４５は、識別標記２３が設けられた側とは反対側であって容器２０の右側面側に設けられている（図２２（Ａ）の断面図参照）。また、第２突起２４２〜第４突起２４４は、第１突起２４１と第５突起２４５との間に配置されている。
【００７６】
さらに、第１突出部２４からの突出量は、第１突起２４１が最も大きく、次いで第２突起２４２となっている。また、第３突起２４３の突出量は、第２突起２４２よりも小さく、第４突起２４４の突出量は、第３突起２４３よりも小さくなっている。そして、第５突起２４５の突出量が最も小さくなっている。なお本実施形態における容器２０においては、容器本体２１の接線（図３（Ａ）も参照）よりも右方側にはいずれの突起も設けられていない。
【００７７】
次いで、本実施形態における容器２０の動作について説明する。
図２４は、陳列装置３０における容器２０の動作を示した図である。例えば、同図の符号２１Ａに示すように、識別標記２３が右斜め前方を向いた状態で容器２０が陳列装置３０に投入された場合、第１ピン５２１に対し第１突起２４１が突き当たるようになる。これによって容器２０には回転力が付与され、容器２０は反時計回りに回転を行うようになる。次いで容器２０の前方への移動に伴い、第２ピン５２２に対し第２突起２４２が突き当たり（符号２１Ｂ参照）、容器２０は同様に反時計回りの回転を行う。
【００７８】
その後、容器２０は、第３ピン５２３に第３突起２４３が突き当たり、第４ピン５２４に第４突起２４４が突き当たることで、周方向の回転を順次行う。そして最終的に、第５突起２４５が第５ピン５２５に突き当たることで（符号２１Ｃ参照）、識別標記２３が前方を向くようになる。その後、容器２０は、載置部３１上をスライドし陳列装置３０の前方に到達する。ここで、本図に示した陳列装置３０には、図２−１に示した陳列装置３０を用いている。そして、本陳列装置３０では、突起（第１突起２４１〜第５突起２４５）の数に対応させて、ピンの数を５本としている。なお、本実施形態では、第１突起２４１〜第５突起２４５の５つの突起、第１ピン５２１〜第５ピン５２５の５本のピンを設けた場合を一例に説明したが、突起およびピンは適宜数を増やすことが可能である。
【００７９】
なお、容器２０は次のような構成としてもよい。
図２５、図２６は、容器２０の変形例を示した図である。なお、図２５（Ａ）は容器２０の正面図を示し、同図（Ｂ）は容器２０の左側面図を示している。また、図２６（Ａ）は容器２０の背面図を示し、同図（Ｂ）は容器２０の右側面図を示している。また、図２５（Ａ）、（Ｂ）、図２６（Ａ）、（Ｂ）の各々の上部に表示した図は、Ａ−Ａ線における断面図を示している。
【００８０】
これらの図に示す容器２０では、第１突起２４１〜第５突起２４５を棒状とせず板状（リブ状）としている。また、第１突起２４１〜第５突起２４５の各々は、放射状に配置されている。また、第１突起２４１〜第５突起２４５の各々は、第１突出部２４のみではなく容器本体２１によっても支持されている。このため、本変形例における容器２０では、第１突起２４１〜第５突起２４５の強度を、図２２、図２３で示した態様に比して高めることができる。
【００８１】
さらに容器２０は次のような形態とすることもできる。
図２７、図２８は、容器２０の他の変形例を示した図である。なお、図２７（Ａ）は容器２０の正面図を示し、同図（Ｂ）は容器２０の左側面図を示している。また、図２８（Ａ）は容器２０の背面図を示し、同図（Ｂ）は容器２０の右側面図を示している。また、図２７（Ａ）、（Ｂ）、図２８（Ａ）、（Ｂ）の各々の上部に表示した図は、Ａ−Ａ線における断面図である。
【００８２】
上記図２２〜図２６では、第１突起２４１〜第５突起２４５の各々の高さを異ならせるとともに、陳列装置３０における第１ピン５２１〜第５ピン５２５の高さを異ならせた。一方で、第１突起２４１〜第５突起２４５の高さ方向における寸法を、図２７、図２８に示すように等しくしてもよい。換言すると、第１突起２４１〜第５突起２４５の高さ方向における寸法に差を付けない構成とすることもできる。また、陳列装置３０における第１ピン５２１〜第５ピン５２５の高さ（第１ピン５２１〜第５ピン５２５の載置部３１からの高さ）を等しくすることができる。
【００８３】
ここで図２９は、陳列装置３０における容器２０の動作を示した図である。なお、本図における陳列装置３０では、第１ピン５２１〜第５ピン５２５の高さを異ならせず、載置部３１からほぼ等しい高さ位置に第１ピン５２１〜第５ピン５２５を配置している。
【００８４】
ここで例えば、同図（Ａ）に示すように、識別標記２３が右斜め前方を向いた状態で容器２０が投入された場合、まず第１突起２４１が第１ピン５２１に突き当たる。これによって容器２０は反時計回りの回転を行う。その後、容器２０は、第２突起２４２が第２ピン５２２に突き当たり、第３突起２４３が第３ピン５２３に突き当たり、第４突起２４４が第４ピン５２４に突き当たることで、順次回転を行う。そして、容器２０は、第５突起２４５が第５ピン５２５に突き当たることで更に回転する。この結果、識別標記２３が前方を向くようになる。
【００８５】
また、例えば、同図（Ｂ）に示すように、識別標記２３が後方を向いた状態で容器２０が投入された場合、まず第３突起２４３が第１ピン５２１に突き当たる。これによって容器２０は反時計回りの回転を行う。その後、容器２０は、第４突起２４４が第２ピン５２２に突き当たり、第５突起２４５が第３ピン５２３に突き当たることで、順次回転を行う。これによって、識別標記２３が前方を向くようになる。そしてこの場合、第１突起２４１〜第５突起２４５が設けられていない部位が、第１ピン５２１〜第５ピン５２５が配置された側に対向する状態となる。この結果、容器２０は、残りの第４ピン５２４、第５ピン５２５に突き当たることなく前方へ移動していく。
【００８６】
また、容器２０は次のような形態とすることもできる。
図３０は、容器２０の変形例の他の一例を示した図である。なお、図３０の上部に表示した図は、Ａ−Ａ線における断面図である。
本図に示す容器２０では、第１突起２４１〜第５突起２４５の下方に、第１突出部２４と同様の形状を有するとともに第１突出部２４とは別に形成された第２突出部２６が設けられた構成となっている。付言すれば、凸部２５や第１突起２４１〜第５突起２４５が設けられる領域の下方であって容器本体２１の上部に、容器本体２１の周方向に沿って設けられ且つ環状に形成された第２突出部２６（第２の環状突出部の一例）が設けられた構成となっている。
【００８７】
さらに説明すると、第２突出部２６は、容器本体２１の上部に形成された開口（不図示）よりも下方にも設けられている。さらに、第２突出部２６は、円盤状（鍔状）に形成されている。なお、第２突出部２６の直径は、第１突出部２４の直径と略同一となっている。また、本図では、第１突出部２４の外縁部より容器本体２１側に且つ第２突出部２６の外縁部よりも容器本体２１側に、第１突起２４１〜第５突起２４５が設けられている。このような構成の場合、第１突起２４１〜第５突起２４５が破損等しにくくなる。
【００８８】
ここで、第１突出部２４のように容器本体２１から環状に突出した部位を２本のレール等で下方から支持することで容器２０の搬送を円滑に行える場合がある。また、飲料の充填後にキャップ２２をする際、第１突出部２４を下方から支持したい場合がある。
ところでこのような場合に、第１突起２４１〜第５突起２４５や凸部２５が設けられていると、容器２０の搬送が困難となったりキャップ２２の装着が困難となったりする場合がある。本実施形態のように、第１突起２４１〜第５突起２４５の下部に、第２突出部２６を設けることで上記のような不具合の発生を抑制可能となる。
【００８９】
ここで第２突出部２６についてさらに説明すると、第２突出部２６は、第１突出部２４と同様に、一定の厚みを有し板状に形成されている。このため、第２突出部２６は、同図（Ａ）に示すように、容器本体２１の周方向に沿って設けられた側面２６２と、この側面２６２と容器本体２１とを接続する上面２６１とが交差する部位に、第２突出部２６の周方向に沿って設けられた第１エッジ部Ｅ３（上面側エッジ部の一例）を有している。また、側面２６２と容器本体２１とを接続する下面２６３と、側面２６２とが交差する部位に、第２突出部２６の周方向に沿って設けられた第２エッジ部Ｅ４（下面側エッジ部の一例）を有している。また、第１エッジ部Ｅ３に対し面取りが施されており、第１エッジ部Ｅ３は、曲率を有し円弧状となっている。なお、同図（Ｂ）に示すように、第１エッジ部Ｅ３および第２エッジ部Ｅ４の両者に面取りを施すようにしてもよい。
【００９０】
また、第１エッジ部Ｅ３に対して面取りを施すことにより、同図（Ｃ）に示すように、第１エッジ部Ｅ３に対して斜面２６４を形成することもできる。この斜面２６４は、平坦面として形成されているとともに、一端が上面２６１に接続され他端が側面２６２に接続されている。また、斜面２６４は、上面２６１および側面２６２に対し交差する関係で配置されている。なお、斜面２６４は、同図（Ｄ）に示すように、第１エッジ部Ｅ３のみならず第２エッジ部４に対しても形成することができる。
【００９１】
ここで、第１エッジ部Ｅ３に対して面取りを施した場合、キャップ２２を操作するユーザの手や指が第２突出部２６に引っ掛かりにくくなり、キャップ２２を操作する際の操作性が向上する。また、第１エッジ部Ｅ３に対して面取りを施した場合、容器２０の第１突起２４１が第１ピン５２１に対しより確実に突き当たるようになる。
【００９２】
各部材の公差などによって、例えば第１ピン５２１（図２４参照）が予定されていた位置よりも下方に位置してしまう場合がある。また、例えば、容器２０の製造時における各種誤差により、第２突出部２６の上面２６１（図３０（Ａ）参照）が本来の位置よりも上方に位置してしまう場合がある。そしてこのような場合にて、容器２０が第１ピン５２１に到達すると（図２４の符号２１Ａ参照）、第２突出部２６の上方に第１ピン５２１が位置することができず、第１ピン５２１が第２突出部２６の側面２６２（図３０（Ａ）参照）に突き当たる（対峙する）おそれがある。そしてこの場合、図２４の符号２１Ａに示したような回転が困難となる。
【００９３】
ここで、図３０（Ａ）〜（Ｄ）に示したように、第１エッジ部Ｅ３に面取りを施した場合、第１ピン５２１が第２突出部２６の上方に位置しやすくなる。即ち、第１ピン５２１は、面取りが施された第１エッジ部Ｅ３により誘導され第２突出部２６の上方に位置しやすくなる。この結果、第１突起２４１が第１ピン５２１により確実に突き当たるようになり、上記符号２１Ａに示したような容器２０の回転がより確実に行われるようになる。ここで、第１エッジ部Ｅ３における面取り部は、側面２６２に対して経路突出部の一例としての第１ピン５２１が対峙する場合に、この第１ピン５２１を上面２６１側に誘導する誘導部として捉えることができる。
また、図３０（Ｂ）、（Ｄ）に示したように、第２突出部２６の第２エッジ部Ｅ４に対して面取りを施した場合、例えば、上記レールにより第２突出部２６を下方から支持する際、容器２０がこの面取りによって誘導され、第２突出部２６の下方にレールをより配置しやすくなる。
【００９４】
なお、第１エッジ部Ｅ３や第２エッジ部Ｅ４における上記面取りは、例えば、容器本体２１を形成する金型に対し第１エッジ部Ｅ３や第２エッジ部Ｅ４に対応する形状を付与しておくことで形成することができる。また、例えば、容器本体２１を形成した後、第１エッジ部Ｅ３、第２エッジ部Ｅ４に対し切削加工を行うことにより形成することができる。
【００９５】
なお、図３０では、棒状の第１突起２４１〜第５突起２４５を例示したが、上記のようにリブ状とすることもできる。また、第１突起２４１〜第５突起２４５は、第１突出部２４ではなく第２突出部２６により支持された構成とすることもできる。また、第１突起２４１〜第５突起２４５が、容器本体２１、第１突出部２４、および第２突出部２６により支持された構成とすることもできる。
【００９６】
なお、容器２０は次のような形状とすることもできる。
図３１は、容器２０の変形例の他の一例を示した図である。なお、図３１の上部に表示した図は、Ａ−Ａ線における断面図である。
【００９７】
本図に示す容器２０では、第１突出部２４が、図３０に示した位置よりも下方に位置するとともに、この第１突出部２４の下部に第１突起２４１〜第５突起２４５が設けられている。また、本容器２０では、第１突出部２４の上方に、第２突出部２６が設けられている。ここで第２突出部２６は、上記レールが入り込むことが可能な間隙を第１突出部２４との間に有した状態で配置されている。本図に示す容器２０によっても、上記のような不具合の発生を抑制可能となる。
【００９８】
また同図（Ａ）に示すように、本図に示す容器２０においても、上記と同様、上面２６１と側面２６２とが交差する部位に、第１エッジ部Ｅ３が設けられている。また、下面２６３と側面２６２とが交差する部位に、第２エッジ部Ｅ４が設けられている。また、第１エッジ部Ｅ３に対し面取りが施されており、第１エッジ部Ｅ３は、曲率を有し円弧状となっている。なお、上記と同様、第１エッジ部Ｅ３および第２エッジ部Ｅ４の両者に面取りを施すようにしてもよい（同図（Ｂ）参照）。
【００９９】
また、上記と同様、同図（Ｃ）に示すように、第１エッジ部Ｅ３に対して斜面２６４を形成することもできる。この斜面２６４は、平坦面として形成されているとともに、一端が上面２６１に接続され他端が側面２６２に接続されている。また、斜面２６４は、上面２６１および側面２６２に対し交差する関係で配置されている。また、上記と同様、斜面２６４は、同図（Ｄ）に示すように、第１エッジ部Ｅ３のみならず第２エッジ部Ｅ４に対しても形成することができる。
【０１００】
ここで、第２突出部２６の第１エッジ部Ｅ３に対して面取りを施した場合、キャップ２２を操作するユーザの手や指が第２突出部２６に引っ掛かりにくくなり、キャップ２２を操作する際の操作性が向上する。また、第２突出部２６の第２エッジ部Ｅ４に対して面取りを施した場合、上記と同様に、例えば、上記レールにより第２突出部２６を下方から支持する際、容器２０がこの面取りによって案内され、レールを第２突出部２６の下方により配置しやすくなる。なお、図３１では、第１突出部２４の下部に第１突起２４１〜第５突起２４５が設けられた場合を例示したが、第１突出部２４の下部に、上記凸部２５を設けることも当然できる。
【０１０１】
なお、上記にて説明した棒状の第１突起２４１〜第５突起２４５（図２２、図２３参照）は、第１突出部２４の外周縁側に配置することが好ましい。例えば第１突起２４１〜第５突起２４５が図３２（第１突起２４１〜第５突起２４５の配置態様を説明する図）の（Ｂ）に示すように容器本体２１に寄って配置されている場合、容器２０の１回あたりの回転量が小さくなる。
【０１０２】
一方で、第１突起２４１〜第５突起２４５が、第１突出部２４の外周縁（外縁部）側に配置されている場合、同図（Ａ）に示すように、容器２０の一回あたりの回転量を大きくすることができる。この結果、突起（第１突起２４１〜第５突起２４５）の数の増加や、ピン（第１ピン５２１〜第６ピン５２６）の数の増加を抑制可能となる。なお、上記と同様の理由により、リブ状の第１突起２４１〜第５突起２４５（図２５、図２６参照）は、第１突出部２４の外周縁まで設けることが好ましい。
【０１０３】
ここで、上記にて説明した形態では、飲料が充填された容器２０を一例に説明したが、容器２０は飲料を充填したものに限られない。例えば化粧品が充填された容器２０や、液体状の石鹸が充填された容器２０なども一例として挙げられる。
【符号の説明】
【０１０４】
２０…容器、２１…容器本体、２２…キャップ、２３…識別標記、２４…第１突出部、２５…凸部、２６…第２突出部、３０…陳列装置、２３１…上面、２３２…側面、２３３…下面、２３４…斜面、２５１〜２５６…第１平坦面〜第６平坦面、２６４…斜面、５２１〜５２６…第１ピン〜第６ピン、Ｅ１…第１エッジ部、Ｅ２…第２エッジ部、Ｅ３…第１エッジ部、Ｅ４…第２エッジ部
【図１】
2010280407.tif 000003
【図２−１】
2010280407.tif 000004
【図２−２】
2010280407.tif 000005
【図３】
2010280407.tif 000006
【図４】
2010280407.tif 000007
【図５】
2010280407.tif 000008
【図６】
2010280407.tif 000009
【図７】
2010280407.tif 000010
【図８】
2010280407.tif 000011
【図９】
2010280407.tif 000012
【図１０】
2010280407.tif 000013
【図１１】
2010280407.tif 000014
【図１２】
2010280407.tif 000015
【図１３】
2010280407.tif 000016
【図１４】
2010280407.tif 000017
【図１５】
2010280407.tif 000018
【図１６】
2010280407.tif 000019
【図１７】
2010280407.tif 000020
【図１８】
2010280407.tif 000021
【図１９】
2010280407.tif 000022
【図２０】
2010280407.tif 000023
【図２１】
2010280407.tif 000024
【図２２】
2010280407.tif 000025
【図２３】
2010280407.tif 000026
【図２４】
2010280407.tif 000027
【図２５】
2010280407.tif 000028
【図２６】
2010280407.tif 000029
【図２７】
2010280407.tif 000030
【図２８】
2010280407.tif 000031
【図２９】
2010280407.tif 000032
【図３０】
2010280407.tif 000033
【図３１】
2010280407.tif 000034
【図３２】
2010280407.tif 000035